(57)【要約】【課題】手の小さい作業者や女性等にとって負担が低減できるとともに、スナップボタンの品質を保持した取付けが行え、携帯性に優れる携帯型の樹脂製スナップの取付具の提供。【解決手段】主枠及び該主枠に連続する二本の保持枠を有する把持枠部と、前記保持枠の少なくとも一方の保持枠に対して相対的な移動を可能として螺合する軸部と、軸部を上下移動させるために回動させる回動操作部と、軸部の一端に設けられ樹脂製スナップの一の構成部材を直接または間接的に保持する第一保持部と、前記保持枠のうち他の保持枠に設けられ樹脂製スナップの他の構成部材を直接または間接的に保持する第二保持部とを備え、前記軸部の回動によって第一保持部を下降させ、当該一対の構成部材間に配置した生地に対して当該各構成部材を固着させることを特徴とする樹脂製スナップ用の携帯型スナップ取付具を解決手段とする。【選択図】図１
2016165437.tif 000002
【特許請求の範囲】
【請求項１】
主枠及び該主枠に連続する二本の保持枠を有する把持枠部と、前記保持枠の少なくとも一方の保持枠に対して相対的な移動を可能として螺合する軸部と、軸部を上下移動させるために回動させる回動操作部と、軸部の一端に設けられ樹脂製スナップの一のスナップ構成部材を直接または間接的に保持する第一保持部と、前記保持枠のうち他の保持枠に設けられ樹脂製スナップの他のスナップ構成部材を直接または間接的に保持する第二保持部とを備え、前記軸部の回動によって第一保持部を下降させ、当該一対のスナップ構成部材間に配置した生地に対して当該各スナップ構成部材を固着させることを特徴とする樹脂製スナップ用の携帯型スナップ取付具。
【請求項２】
主枠には軸部と並行するガイド部を備え、
第一保持部は、当該ガイド部と軸部との間に架設され且つ当該第一保持部の上下動に対応して前記ガイド部に沿って上下動可能となる指示部材を備え、
当該把持枠部若しくはその近傍には少なくとも生地に対する一のスナップ構成部材の適正位置若しくは適正範囲とするための表示を備えたことを特徴とする請求項１記載の樹脂製スナップ用の携帯型スナップ取付具。
【請求項３】
第一保持部は弾性部材からなる第一保持部材を備え、第一保持部材は軸部の下端に対して着脱可能に設けられ、
前記軸部の下端は樹脂製スナップの加締部を押圧可能な直径を有する押圧部であることを特徴とする請求項１又は２記載の樹脂製スナップ用の携帯型スナップ取付具。
【請求項４】
第一保持部は軸部及び主枠に対して着脱可能に設けられ、
前記軸部の下端は樹脂製スナップの加締部を押圧可能な直径を有する押圧部であることを特徴とする請求項１、２又は３記載の樹脂製スナップ用の携帯型スナップ取付具。
【請求項５】
第一保持部は弾性部材からなる第一保持部材を備え、当該第一保持部材に対して着脱自在となる補助部材を備え、該補助部材は、雌スナップの上側スナップ構成部材との係合手段と、前記第一保持部材との接続手段とを備えたことを特徴とする請求項１、２、３又は４記載の樹脂製スナップ用の携帯型スナップ取付具。
【請求項６】
スナップ構成部材を前記第二保持部で間接的に保持するための間接保持手段と、該間接保持手段を保持枠に位置決めするための位置決め手段を備えたことを特徴とする請求項１、２、３、４又は５記載の樹脂製スナップ用の携帯型スナップ取付具。
【請求項７】
位置決め手段が当該第二保持部を上下に貫通する貫通穴であることを特徴とする請求項６記載の樹脂製スナップ用の携帯型スナップ取付具。
【請求項８】
一方の保持枠における前記軸部と螺合する雌螺子穴に対して、該雌螺子穴の内径より小さい外径のドリル刃を上方から貫通して、他方の保持枠の上面側から当該他方の保持枠に、請求項６又は請求項７に記載の位置決め手段となる位置決め穴を形成することを特徴とする樹脂製スナップ用の携帯型スナップ取付具における位置決め穴の形成方法。
【発明の詳細な説明】
【技術分野】
【０００１】
本発明は、主として樹脂製のスナップ（雌雄のスナップボタン等）を衣服、袋物、スナップ用テープ等の生地に対して取付けるための携帯型スナップ取付具に関するものである。
【背景技術】
【０００２】
従来、衣服、袋物、スナップ用テープ等の生地に対してスナップボタン等を取付けるための種々のスナップ取付具が広く使用されている。このようなスナップ取付具のうち、いわゆる据え付け型、据え置き型のスナップ取付具とは異なり、収納、持ち運びが可能な携帯型スナップ取付具がある。
【０００３】
このような携帯型スナップ取付具は、多種のものが存在する。例えば、枢着部、弾機を介して弾発開閉自在の一対の握杆（操作レバー）の閉合頭部の各通孔上に、夫々掛止爪を有する雌雄ダイスを着脱自在に取付け、両ダイスには何れも緊定螺環を着脱自在に螺嵌し、各螺環には更に穿孔ダイスを着脱自在に螺挿し雌雄ダイス上には補助ダイスを夫々着脱自在に取付けてなるスナップ類のプレスポンチが公知である（例えば、特許文献１参照。）。
【０００４】
また、例えばリベット部材と、中央にリベット部材の突起を挿通するための貫通孔が形成された雄型又は雌型の嵌合部材とを、可撓性膜体の両側に配置し、リベット部材の突起を可撓性膜体の片側から前記嵌合部材の貫通孔に挿通し、その突起の先端部を打撃して拡径変形させることにより、前記リベット部材と前記嵌合部材とを可撓性膜体を挟んだ状態にカシメ止めするようにしたスナップファスナー取付け機であって、片手で握ることが可能な２本の第一、第二レバーが揺動リンクを介して揺動自在に連結され、第一レバーにはリベット部材の受け具が設けられ、第二レバーには、嵌合部材を押し下げる樹脂製の円筒状バネと嵌合部材の貫通孔に挿通したリベット部材の突起先端部を打撃する打撃部とを備えた打ち込み具が設けられ、前記第一、第二レバーを片手で握持することにより、前記リベット部材と前記嵌合部材とを可撓性膜体を挟んだ状態に人力でカシメ止めするようにしたことを特徴とするスナップファスナー取付機等が公知である（例えば、特許文献２参照。）。
【０００５】
また、上記した携帯型スナップ取付具ではないものの、樹脂製のスナップファスナーにおける樹脂製リベット部材の突起の先端を、打込み具により打撃して拡径変形した際に、合成樹脂の弾性によって拡径変形部が打込み具による加圧方向と逆方向に復元し、加締め止めが不安定になりやすいことから当該逆方向への復元を防止しようとするものとして、例えば、合成樹脂製のリベット部材を突起が上向きになるように支持する受け具と、その上方に受け具と対向して配置された昇降自在な打込み具と、中央にリベット部材の突起を挿通するための貫通孔が形成された合成樹脂製の嵌合用部材を収容する第１ホッパーと、リベット部材を収容する第２ホッパーと、第１ホッパーから繰り出された嵌合用部材を流下供給する第１シュートと、第２ホッパーから繰り出されたリベット部材を流下供給する第２シュートと、第１シュートの下端まで流下供給された嵌合用部材を前記打込み具に、第２シュートの下端まで流下供給されたリベット部材を前記受け具に、夫々、送り込む上下二段の押圧用板部を有する前後方向に往復移動可能なプッシャーと、打込み具の昇降駆動手段と、プッシャーの駆動手段とを備え、前記打込み具は、昇降駆動手段によって駆動される昇降自在な打込み具本体と、打込み具本体に上下方向スライド自在に装着された嵌合用部材保持用の開閉自在な上部チャックと、打込み具本体に対して上下方向スライド自在で且つ付勢手段により下方へ付勢された筒軸状のガイドパンチと、ガイドパンチの内側に配置され且つ打込み具本体に対して固定されたカシメパンチとを備え、前記受け具は、リベット部材を載置する受け台と、打込み具の下降と所定のタイミングで同期して下降するように構成されたリベット部材位置決め用の開閉自在な下部チャックとを備え、前記受け具と前記打込み具との間にシート状部材を介在させた状態で、打込み具を下降させることにより、前記ガイドパンチで嵌合部材を押し下げて、リベット部材の突起をシート状部材に突き刺すと共に嵌合部材の貫通孔に挿入し、前記カシメパンチで突起先端部を打撃して拡径変形させ、前記リベット部材と前記嵌合用部材とをシート状部材を挟んだ状態にカシメ止めするようにしたスナップファスナー取付け機において、打込み具の昇降駆動手段を、モータにより一回転クラッチを介して回転駆動されるカム軸と、カム軸に設けたカムと、カムに追従するカムフォロワーと、カムフォロワーの動作を打込み具の昇降動作に変換する連動機構とで構成し、カム面のうち所定の角度範囲を円形状に形成することにより、カム軸が一回転する間に、打込み具がリベット部材の突起先端部を拡径変形させた状態で一定時間静止するように構成したスナップファスナー取付け機が公知である（例えば、特許文献３参照。）。
【先行技術文献】
【特許文献】
【０００６】
【特許文献１】実公昭４２−１０９２４号公報
【特許文献２】実用新案登録第３１６５７５１号公報
【特許文献３】特許第４７６８４２号公報
【０００７】
上記特許文献１、特許文献２の携帯型スナップ取付具は、スナップボタンを生地に取付ける際には、当該スナップボタンを形成するための各スナップ構成部材を、当該生地の両側から衝突させて強く押圧し、スナップ構成部材相互を固着させる構成を採用する。
このため、操作レバーを握るためにある程度の握力を要し、特に手の小さい作業者や握力が比較的弱い女性、子供等にとっては負担のかかる作業となっていた。
【０００８】
また、取付に際しての負担を低減する手段として、各操作レバーの長さをなるべく大きくとることで、より握力の負担を低減させることも行われる。しかしながら、各操作レバーの長さを大きくとることによって、当該スナップ取付具が大型化し、当該スナップ取付具の携帯性を阻害するものとなっていた。
【０００９】
更に、上記いずれの機構においても、各スナップ構成部材相互を衝突させて強く押圧することから、樹脂製スナップを構成するスナップ構成部材の保持が不十分であると、特に樹脂製スナップの取付の際に生じる衝撃等により、当該スナップ構成部材が意図しない変形や破損を生ずる虞があった。
【００１０】
また、各スナップ構成部材相互を衝突させるように押圧する操作は、個人の握力や感覚が要素として加わるため、どの程度の力で加締めればよいのかの判断が行い難く、スナップの生地への取付について安定した品質を保つことが困難となる点でも問題であった。
【００１１】
ところで、特許文献３で開示されているように、樹脂製のスナップファスナーにおける樹脂製リベット部材の突起の先端を、打込み具により打撃して拡径変形した際に、合成樹脂の弾性によって拡径変形部が打込み具による加圧方向と逆方向に復元し、かしめ止めが不安定になりやすい問題がある。上記特許文献３においては、上記した複雑な機構を備えた据え置き型のスナップファスナー取付け機によって、上記逆方向への拡径変形部の復元を防止することができるものとしているが、当該構成は、携帯型スナップ取付具には適用できず、依然として、携帯型スナップ取付具に関しては、拡径変形部の復元によりかしめ止めが不安定となる問題が存在している。
【００１２】
また、他方で、樹脂製スナップ用の携帯型スナップ取付具の提供に際して、十分な品質が確保でき、且つ、より廉価な当該携帯型スナップ取付具の提供ができることが望ましい。
【００１３】
また、スナップの取付の不手際等によって、取付不良状態で生地に当該スナップが取付けられた場合や、既存のスナップと交換して好みのスナップを取り付けたい場合には、既に取付けられているスナップを取り外して、再度取付を行う必要がある。
既に取付けられた樹脂製スナップの取り外し手段として、一般にラジオペンチ等の工具が用いられる。しかしながら、当該取外し作業は、手間のかかる不安定な作業であり、不慮の事故の虞もある。このため、より安定的に既に取付けられた樹脂製スナップの取り外しが可能となれば、非常に好ましい。またこの場合において、より品質が良好で、利便性に優れることが望まれる。
【発明の概要】
【発明が解決しようとする課題】
【００１４】
本発明は以上の事情に鑑みてなされたものであり、手の小さい作業者や握力が弱い者等にとって負担が低減できる樹脂製スナップ用の携帯型スナップ取付具の提供を、発明が解決しようとする課題とする。
【００１５】
また本発明は、上記解決課題に加え、より携帯性に優れた樹脂製スナップ用の携帯型スナップ取付具の提供を、発明が解決しようとする課題とする。
【００１６】
また本発明は、上記解決課題に加え、スナップ構成部材が意図しない変形や破損を生ずる虞を低減でき、また、拡径変形部の復元によりかしめ止めが不安定となる問題を解消できる樹脂製スナップ用の携帯型スナップ取付具の提供を、発明が解決しようとする課題とする。
【００１７】
また本発明は、上記解決課題に加え、スナップボタンの生地への取付に際して、当該スナップボタンの取付の質を一定に保持できる樹脂製スナップ用の携帯型スナップ取付具の提供を、発明が解決しようとする課題とする。
【００１８】
また本発明は、上記解決課題に加え、取付不良状態で生地にスナップが取付けられこれを除去したい場合、或いは、取着された既存の樹脂製スナップと新たなスナップとを交換するに際して既存の樹脂製スナップを除去したい場合等において、当該スナップを容易に生地から取り外すことができる機能が付加された樹脂製スナップ用の携帯型スナップ取付具の提供を、発明が解決しようとする課題とする。
【００１９】
また、この場合において、より品質が良好で、利便性に優れる樹脂製スナップ用の携帯型スナップ取付具の提供を、発明が解決しようとする課題とする。
【００２０】
また本発明は、上記解決課題に加え、樹脂製スナップ用の携帯型スナップ取付具の提供に際して、品質の確保及びより廉価な当該携帯型スナップ取付具の提供ができる樹脂製スナップ用の携帯型スナップ取付具、及び、当該スナップ取付具における一部の形状の形成方法の提供を、発明が解決しようとする課題とする。
【課題を解決するための手段】
【００２１】
本発明は、主枠及び該主枠に連続する二本の保持枠を有する把持枠部と、前記保持枠の少なくとも一方の保持枠に対して相対的な移動を可能として螺合する軸部と、軸部を上下移動させるために回動させる回動操作部と、軸部の一端に設けられ樹脂製スナップの一のスナップ構成部材を直接または間接的に保持する第一保持部と、前記保持枠のうち他の保持枠に設けられ樹脂製スナップの他のスナップ構成部材を直接または間接的に保持する第二保持部とを備え、前記軸部の回動によって第一保持部を下降させ、当該一対のスナップ構成部材間に配置した生地に対して当該各スナップ構成部材を固着させることを特徴とする樹脂製スナップ用の携帯型スナップ取付具を、上記課題を解決するための手段とする。
ここでスナップ構成部材を間接的に保持することには、補助部材、受駒体、アダプタ等（以下、保持部材等）を当該スナップ構成部材に取付け、若しくはスナップ構成部材に当接させて、当該補助部材等を保持することを含む。
【００２２】
また本発明は、上記発明の構成を前提として、主枠には軸部と並行するガイド部を備え、第一保持部は、当該ガイド部と軸部との間に架設され且つ当該第一保持部の上下動に対応して前記ガイド部に沿って上下動可能となる指示部材を備え、当該把持枠部若しくはその近傍には少なくとも生地に対する一のスナップ構成部材の適正位置若しくは適正範囲とするための表示を備えたことを特徴とする樹脂製スナップ用の携帯型スナップ取付具を、上記課題を解決するための手段とする。
【００２３】
また本発明は、上記いずれかの発明の構成を前提として、第一保持部は弾性部材からなる第一保持部材を備え、第一保持部材は軸部の下端に対して着脱可能に設けられ、前記軸部の下端は樹脂製スナップの加締部を押圧可能な直径を有する押圧部であることを特徴とする樹脂製スナップ用の携帯型スナップ取付具を、上記課題を解決するための手段とする。
【００２４】
また本発明は、上記いずれかの発明の構成を前提として、第一保持部は軸部及び主枠に対して着脱可能に設けられ、前記軸部の下端は樹脂製スナップの加締部を押圧可能な直径を有する押圧部であることを特徴とする樹脂製スナップ用の携帯型スナップ取付具を、上記課題を解決するための手段とする。
【００２５】
また本発明は、上記何れかの発明の構成を前提として、第一保持部は弾性部材からなる第一保持部材を備え、当該第一保持部材に対して着脱自在となる補助部材を備え、該補助部材は、雌スナップの上側スナップ構成部材との係合手段と、前記第一保持部材との接続手段とを備えたことを特徴とする樹脂製スナップ用の携帯型スナップ取付具を、上記課題を解決するための手段とする。
【００２６】
また本発明は、上記何れかの発明の構成を前提として、スナップ構成部材を前記第二保持部で間接的に保持するための間接保持手段と、該間接保持手段を保持枠に位置決めするための位置決め手段を備えたことを特徴とする樹脂製スナップ用の携帯型スナップ取付具を、上記課題を解決するための手段とする。
【００２７】
また本発明は、上記第二保持部で間接的に保持するための間接保持手段と、該間接保持手段を保持枠に位置決めするための位置決め手段を備えた発明の構成を前提として、当該位置決め手段が当該第二保持部を上下に貫通する貫通穴であることを特徴とする樹脂製スナップ用の携帯型取付具を、上記課題を解決するための手段とする。
【００２８】
また本発明は、上記発明の構成を前提として、一方の保持枠における前記軸部と螺合する雌螺子穴に対して、該雌螺子穴の内径より小さい外径のドリル刃を上方から貫通して、他方の保持枠の上面側から当該他方の保持枠に、前記位置決め手段として位置決め穴を形成することを特徴とする樹脂製スナップ用の携帯型スナップ取付具における位置決め穴の形成方法を、上記課題を解決するための手段とする。
【発明の効果】
【００２９】
本発明は、主枠及び該主枠に連続する二本の保持枠を有する把持枠部と、前記保持枠の少なくとも一方の保持枠に対して相対的な移動を可能として螺合する軸部と、軸部を上下移動させるために回動させる回動操作部と、軸部の一端に設けられ樹脂製スナップの一のスナップ構成部材を直接または間接的に保持する第一保持部と、前記保持枠のうち他の保持枠に設けられ樹脂製スナップの他のスナップ構成部材を直接または間接的に保持する第二保持部とを備え、前記軸部の回動によって第一保持部を下降させ、当該一対のスナップ構成部材間に配置した生地に対して当該各スナップ構成部材を固着させることを特徴とする樹脂製スナップ用の携帯型スナップ取付具としたことから、当該第一保持部に直接又は間接的に一方のスナップ構成部材を保持させ、第二保持部材に他方のスナップ構成部材を保持させ、これらのスナップ構成部材間に生地を配置した状態で、前記回転操作部を、軸部を中心として回転させることによって、第一保持部が保持枠との螺合状態を保ちながら軸部とともにゆっくりと下降し、当該スナップ構成部材相互を、生地を挟持して固着できる。これによって、手の小さい作業者や握力の弱い者等にとっても、従来のようなレバー操作を行う必要がなく作業負担を低減できる。
【００３０】
また、軸部を回転操作部によって回転させる構成としたことによって、従来のような握り操作を要する長尺の操作レバーを要しないでスナップを加締め固定することができることから、より携帯性に優れた樹脂製スナップ用の携帯型スナップ取付具とすることができる。
【００３１】
また、軸部を回転操作部によって回転させる構成としたことによって、従来のような握り操作を要する長尺の操作レバーを用いるものと比較して、ゆっくりと第一保持部が下降する。このため、スナップ構成部材の保持が不十分となった場合の補正が容易であり、またスナップに対して均等且つ穏やかに押圧し、各スナップ構成部材に対して急激な負荷をかけないため、当該スナップ構成部材が、意図しない変形や破損を生ずる虞を低減することができるとともに、スナップ構成部材における突起の先端の変形が逆方向に復元する問題を解消できる。
【００３２】
また本発明は、上記発明の構成を前提として、主枠には軸部と並行するガイド部を備え、第一保持部は、当該ガイド部と軸部との間に架設され且つ当該第一保持部の上下動に対応して前記ガイド部に沿って上下動可能となる指示部材を備え、当該把持枠部若しくはその近傍には少なくとも生地に対する一のスナップ構成部材の適正位置若しくは適正範囲とするための表示を備えたこととしたから、軸部を回転操作部によって回転させる構成としたことによって、従来のような握り操作を要する長尺の操作レバーを用いるものと比較して、ゆっくりと第一保持部が下降し、且つ、前記指示部を表示に合わせながら回転操作部の締め込み操作ができるから、加締めの程度を一定に保持することができ、スナップの生地への取付けを安定したものとすることができる。
【００３３】
また本発明は、上記いずれかの発明の構成を前提として、第一保持部は弾性部材からなる第一保持部材を備え、第一保持部材は軸部の下端に対して着脱可能に設けられ、前記軸部の下端は樹脂製スナップの加締部を押圧可能な直径を有する押圧部である樹脂製スナップ用の携帯型スナップ取付具としたから、上記何れかの発明の作用効果を奏する上に、第一保持部材を軸部の下端から脱着し、当該押圧部と第二保持部との間に生地に取付けられたスナップボタンを挟持して、前記回転操作部を操作することによって、当該樹脂製スナップの加締部を押圧して樹脂製スナップを破壊することで、生地から樹脂製スナップを取り外すことができる。
【００３４】
また本発明は、上記いずれかの発明の構成を前提として、第一保持部は軸部及び主枠に対して着脱可能に設けられ、前記軸部の下端は樹脂製スナップの加締部を押圧可能な直径を有する押圧部である樹脂製スナップ用の携帯型スナップ取付具としたことから、上記何れかの発明の作用効果を奏する上に、第一保持部全体を脱着した状態で、当該押圧部と第二保持部との間に生地に取付けられたスナップボタンを挟持して、前記回転操作部を操作することによって、当該樹脂製スナップの加締部を押圧して樹脂製スナップを破壊することで、生地から樹脂製スナップを取り外すことができる。
また、本発明によれば、第一保持部材を軸部の下端から外して行う場合と比較して、より単純な構成で樹脂製スナップの破壊が行えるため、より操作性に優れるものとすることができる。
【００３５】
また本発明は、上記いずれかの発明の構成を前提として、第一保持部は弾性部材からなる第一保持部材を備え、当該第一保持部材に対して着脱自在となる補助部材を備え、該補助部材は、雌スナップの上側スナップ構成部材との係合手段と、前記第一保持部材との接続手段とを備えたことから、上記何れかの発明の作用効果を奏する上に、補助部材を備えることで雄スナップ、雌スナップの夫々について加締め作業を行う際に、第一保持部材に弾性部材を有した構成とすることで、当該弾性部材の弾性変形を利用して、雄スナップ、雌スナップの作業において相違するストロークの差を吸収させることにより、更に、スナップを構成するスナップ構成部材が意図しない変形や破損を生ずる虞を低減することができる。
【００３６】
また本発明は、上記何れかの発明の構成を前提として、スナップ構成部材を前記第二保持部で間接的に保持するための間接保持手段と、該間接保持手段を保持枠に位置決めするための位置決め手段を備えたことから、間接保持手段を用いることで、より多様多種のスナップ構成部材について、上記何れかの発明の作用効果を得ることができる。
【００３７】
更に本発明は、上記したスナップ構成部材を前記第二保持部で間接的に保持するための間接保持手段と、該間接保持手段を保持枠に位置決めするための位置決め手段を備えた樹脂製スナップ用の携帯型スナップ取付具について、当該位置決め手段が当該第二保持部を上下に貫通する貫通穴であることを特徴とする樹脂製スナップ用の携帯型取付具としたから、当該位置決め穴１１３の形成時には、切削によって発生する切削屑を、簡単に除去することができる。このため、より品質が良好な樹脂製スナップ用の携帯型スナップ取付具とすることができる。
また、樹脂製スナップを取り外す際において破片等が生じた場合には、同様に、破片等を下方へ落下させ、これを簡単に除去することができる。
このため、より利便性に優れる樹脂製スナップ用の携帯型スナップ取付具を提供することができる。
【００３８】
また本発明は、上記発明の構成を前提として、一方の保持枠における前記軸部と螺合する雌螺子穴に対して、該雌螺子穴の内径より小さい外径のドリル刃を上方から貫通して、他方の保持枠の上面側から当該他方の保持枠に、前記位置決め手段として位置決め穴を形成することを特徴とする樹脂製スナップ用の携帯型スナップ取付具における位置決め穴の形成方法としたことから、例えば、既存の小型の万力（クランプ）を構成する枠体であって保持枠の一方にのみ貫通穴（若しくは螺子穴）を有する枠体に対して、当該方法によって位置決め穴を形成することにより、当該既存の小型の万力（クランプ）を流用して、十分な強度を保持しつつより廉価なる樹脂製スナップ用の携帯型スナップ取付具を提供することができる。
【図面の簡単な説明】
【００３９】
【図１】本発明の実施例に係る携帯型スナップ取付具の（ａ）正面図、（ｂ）正面図におけるＡ−Ａ断面図である。
【図２】本発明の実施例に係る携帯型スナップ取付具の（ａ）左側面図、（ｂ）右側面図である。
【図３】本発明の実施例に係る携帯型スナップ取付具の（ａ）受駒体の平面図、（ｂ）受駒体の正面図（背面図、左右側面図は同一）、（ｃ）受駒体の底面図、（ｄ）受駒体の縦断面図、（ｅ）受駒体の携帯型スナップ取付具への取付方法の概要を示す説明図である。
【図４】本発明の実施例に係る携帯型スナップ取付具における（ａ）補助部材の平面図、（ｂ）補助部材の正面図（背面図、左右側面図は同一）、（ｃ）補助部材の底面図、（ｄ）補助部材の縦断面図、（ｅ）補助部材の雌スナップの上側スナップ構成部材への取付方法の概要を示す説明図、（ｆ）補助部材を雌スナップの上側スナップ構成部材に取付けた状態を示す正面図である。
【図５】本発明の実施例に係る携帯型スナップ取付具により、補助部材を取り付けた雌スナップの上側スナップ構成部材、及び雌スナップの下側スナップ構成部材を取付ける方法の概要を示す説明図である。
【図６】本発明の実施例に係る携帯型スナップ取付具における雌スナップの各スナップ構成部材を配置した状態を示す説明図である。
【図７】本発明の実施例に係る携帯型スナップ取付具において使用可能となるより小型の下側構成部材のサイズに適合させるためのアダプタを示す（ａ）平面図、（ｂ）正面図（ｃ）Ｂ−Ｂ断面図。（ｄ）当該アダプタを受駒体に対して取付ける状態を示す説明断面図、（ｅ）当該アダプタを受駒体に装着し、より小型の下側構成部材を載置した状態を示す説明断面図である。
【図８】本発明の実施例に係る携帯型スナップ取付具における雌スナップの各スナップ構成部材を配置した後、生地を下側スナップ構成部材の加締め用突起に貫通させた状態を示す説明図である。
【図９】本発明の実施例に係る携帯型スナップ取付具を用いて雌スナップを生地に加締める状態を示す説明図である。
【図１０】本発明の実施例に係る携帯型スナップ取付具により、雄スナップの上側スナップ構成部材、及び雄スナップの下側スナップ構成部材を取付ける方法の概要を示す説明図である。
【図１１】本発明の実施例に係る携帯型スナップ取付具の保持枠に位置決め穴を下降する状態を示す説明図である。
【図１２】本発明の実施例に係る携帯型スナップ取付具の第一保持部を取り外した状態を示す説明図である。
【図１３】本発明の実施例に係る携帯型スナップ取付具の第一保持部を取り外した状態において、第二保持部に取付不良状態の樹脂製スナップ（生地を含む）を載置した状態を示す説明図である。
【図１４】本発明の実施例に係る携帯型スナップ取付具における第一保持部を取り外した状態において、回転操作部の操作杆を右回転させることにより軸部を下降させた状態を示す説明図である。
【図１５】図１４から更に軸部を下降させた状態を示す説明図である。
【図１６】本発明の実施例に係る携帯型スナップ取付具における第一保持部を取り外した状態において、前記柱状部が樹脂製スナップを破壊貫通した状態を示す一部断面とした説明図である。
【図１７】本発明の実施例に係る携帯型スナップ取付具の第一保持部を取り外した状態において、操作杆３０を左回転させ、軸部２を上方へ移動させた状態を示す説明図である。
【図１８】本発明の実施例に係る携帯型スナップ取付具の第一保持部材（弾性部材）のみを取り外した状態を示す説明図である。
【図１９】本発明の他の実施例に係る携帯型スナップ取付具の正面図である。
【発明を実施するための形態】
【００４０】
本発明は、主枠及び該主枠に連続する二本の保持枠を有する把持枠部と、前記保持枠の少なくとも一方の保持枠に対して相対的な移動を可能として螺合する軸部と、軸部を上下移動させるために回動させる回動操作部と、軸部の一端に設けられ樹脂製スナップの一のスナップ構成部材を直接または間接的に保持する第一保持部と、前記保持枠のうち他の保持枠に設けられ樹脂製スナップの他のスナップ構成部材を直接または間接的に保持する第二保持部とを備え、前記軸部の回動によって第一保持部を下降させ、当該一対のスナップ構成部材間に配置した生地に対して当該各スナップ構成部材を固着させることで、前記回転操作部を、軸部を中心として回転させることによって、手の小さい作業者や握力の弱い者等にとっても、従来のようなレバー操作を行う必要がなく作業負担を低減でき、また、従来のような握り操作を要する長尺の操作レバーを要しないでスナップを加締め固定することができることでより携帯性に優れたものとすることができ、また、ゆっくりと第一保持部が下降するため、スナップ構成部材の保持が不十分となった場合の補正が容易であり、また、スナップに対して均等且つ穏やかに押圧し、各スナップ構成部材に対して急激な負荷をかけないため、スナップ構成部材が意図しない変形や破損を生ずる虞を低減することができ、スナップ構成部材における突起の先端の変形が逆方向に復元する問題を解消でき、
主枠には軸部と並行するガイド部を備え、第一保持部は、当該ガイド部と軸部との間に架設され且つ当該第一保持部の上下動に対応して前記ガイド部に沿って上下動可能となる指示部材を備え、当該把持枠部若しくはその近傍には少なくとも生地に対する一のスナップ構成部材の適正位置若しくは適正範囲とするための表示を備えたことで、前記指示部材を表示に合わせながら回転操作部の締め込み操作ができるから、加締めの程度を一定に保持することができ、スナップの生地への取付けを安定させることができ、
第一保持部は弾性部材からなる第一保持部材を備え、第一保持部材は軸部の下端に対して着脱可能に設けられることで、第一保持部材を軸部の下端から脱着し、当該押圧部と第二保持部との間に生地に取付けられたスナップボタンを挟持して、前記回転操作部を操作することによって、当該樹脂製スナップの加締部を押圧して樹脂製スナップを破壊することで、生地から樹脂製スナップを取り外すことができる、優れた樹脂製スナップ用の携帯型スナップ取付具を実現した。
【実施例】
【００４１】
本発明の実施例に係る樹脂製スナップの携帯型スナップ取付具Ｐは、図１から図３に示すように、把持枠部１の上側の保持枠１１（以下、上側保持枠１１ａ）に軸部２が保持されており、該軸部２の下端には第一保持部４を備え、前記把持枠部１の下側の保持枠１１（以下、下側保持枠１１ｂ）には第二保持部５を備えた構成である。
スナップボタン（雌スナップＳ１、雄スナップＳ２）を構成する一対のスナップ構成部材Ｓ１０、Ｓ１１（例えば図４、図５を参照。）／Ｓ２０、Ｓ２１（例えば図１０を参照。）を保持させ、これらのスナップ構成部材間に生地Ｃを配置した状態で、前記軸部２の上端に設けた回動操作部３を回転させて当該第一保持部４を下降させ、前記生地Ｃにスナップボタンを加締めて固着するものである。以下、各構成について説明する。
【００４２】
本実施例における前記把持枠部１は、図１（ａ）の正面図に示すように、直線状の主枠１０の上端に保持枠１１（上側保持枠１１ａ）を、当該主枠１０の下端に保持枠１１（下側保持枠１１ｂ）を、各保持枠１１が概ね平行するように右方へ連続して形成している。
【００４３】
前記主枠１０は、右側端の上下に亘って厚みを増して形成したガイド部１００を備える。
また当該主枠１０の正面位置には、締め込みの程度を指示部材４１によって示すための表示が上下方向に設けてある。当該表示は、上方側に、スナップ構成部材を取り付ける際の第一保持部の位置を示すラインＬ１及び「ＳＥＴ」の文字Ｔ１を設け、下方側に、締め込みの許容範囲を示す二本のラインＬ２、Ｌ３とその上限を示す「ＭＡＸ」の文字Ｔ２を設け、更に下方側に、過度の締め込みにより危険である位置を示すラインと「ＬＩＭＩＴ」の文字Ｔ３を設けたものとしている。
【００４４】
本実施例における上側保持枠１１ａは、上記したように基端側は主枠１０の上端から連続し、先端側には、軸部２を保持するための軸保持部１１０を備えている。
軸保持部１１０は、上方から下方へ貫通して軸部２と螺合するための雌螺子穴１１１を備えている。
【００４５】
本実施例における下側保持枠１１ｂは、上記したように基端側は主枠１０の下端から連続し、先端側には、保持基部１１２を備える。当該保持基部１１２は円板状に形成し、その上面中央には、受駒体５０を位置決めするための位置決め穴１１３を備える。
【００４６】
本実施例における軸部２は、図１（ｂ）に示すように、左右側面に開口する貫通穴２１を有する頭部２０と、該頭部２０から下方へ連続する雄螺子部２２と、該雄螺子部２２の下方に連続して当該雄螺子部２２よりも小径となる柱状部２３とを備えている。本実施例においては、雄螺子部２２は概ね軸部２の長さの６割程度を占める。
雄螺子部２２は、前記軸保持部１１０の雌螺子穴１１１と螺合する。雄螺子部の形成される範囲において、軸部２を回転させることで第一保持部の位置を変更することができる。
【００４７】
前記軸部２の頭部２０における貫通穴２１には、回転操作部３を構成する円柱状の操作杆３０が貫通する。
操作杆３０の外径は前記貫通穴２１の内径よりも一回り小さく形成してある。
また、操作杆３０の両端はグリップ３１、３２で被覆してある。操作杆３０の外径が貫通穴の内径よりも一回り小さくすることで、当該操作杆３０は当該貫通穴２１に対して摺動可能となっている。そして両端にグリップ３１、３２を被覆することで、当該グリップ３１、３２で被覆した部分の外径が貫通穴２１の内径よりも大きくなり、操作杆３０が貫通穴から離脱しないものとしている。
【００４８】
当該グリップ３１、３２の一方（以下、第一グリップ３１という。）を他方（以下、第二グリップ３２という。）と比較して短く形成してある。左右非対称とすることで、軸部２の頭部を第一グリップ３１に当接する位置まで移動すると、軸部２の中心から第二グリップ３２の先端までの距離を、操作杆３０の中央から一端までの距離と比較して長くすることができ、これによって、第二操作グリップ３２側を操作すると、より少ない力で回転操作が行えるものとしている。
【００４９】
前記軸部２の下端には、第一保持部４を設けている。本実施例における第一保持部４は、仕切部材（平ワッシャ４０）と、指示部材４１と、エラストマーからなる第一保持部材（弾性部材４２）とを備えている。
【００５０】
本実施例における指示部材４１は、一端には前記把持枠部１における表示を指示する指示部４１０を備え、他端には円板状輪郭形状を有し且つその円板状輪郭形状の中央に貫通穴を形成した当接板部４１１を備える。また指示部４１０における前記把持枠部１における表示を指示する手段として、指示ラインＬ５を設けてある。
一方、指示部材４１の中央には、軽量化と当該指示部材４１の強度確保を両立させるべく抜き穴を設けている。
以上のように本実施例に係る指示部材４１は、その一端側は前記把持枠部１における表示を指示する機能を有しているが、他端側において第一保持部４の一部となるものとしている。
【００５１】
弾性部材４２はウレタンゴムからなる円柱状の部材であり、底面側から上面側に向けて貫通するザグリ穴形状の中央穴４２０を有している。中央穴４２０内の上部４２０ａは下部４２０ｂよりも小径となっている。
当該中央穴４２０内の上部４２０ａは軸部２の柱状部２３と当接しており、弾性部材４２の有する弾性により軸部２を僅かに押圧した状態で、当該軸部２を保持した構成となっている。
弾性部材４２は、その下面に開口する前記中央穴４２０に対して、雄スナップＳ２の上側スナップ構成部材Ｓ２０、若しくは雌スナップＳ１の上側スナップ構成部材Ｓ１０と係止可能な補助部材６を、着脱可能なものとしている。
【００５２】
本実施例における第二保持部５は、前記下側保持枠１１ｂの保持基部１１２として、構成されている。本実施例においては、第二保持部５は、受駒体５０を用いることによって間接的に下側スナップ構成部材Ｓ１１を保持するものである。
当該第二保持部材５における保持基部１１２には、前記したように、位置決め穴１１３が形成されている。受駒体５０は、図３（ａ）〜（ｄ）に示すように、上面に下側スナップ構成部材Ｓ１１、Ｓ２１を保持可能な凹部５１を上面に有する台座５２と該台座５２の下面中央から垂下され前記位置決め穴１１３に挿入可能となる脚部５３を備える。図３（ｅ）に示すように、当該受駒体５０の脚部５３を前記位置決め穴１１３に嵌入することによって、装着できる。
当該受駒体５０は、下側スナップ構成部材Ｓ１１、Ｓ２１のサイズや形状に応じて適宜変更することができる。
【００５３】
上記本実施例に係る携帯型スナップ取付具Ｐにおいて使用する雌スナップＳ１は、上側スナップ構成部材Ｓ１０及び下側スナップ構成部材Ｓ１１からなる。
【００５４】
雌スナップＳ１の上側スナップ構成部材Ｓ１０は、その中央に下側スナップ構成部材Ｓ１１との係止に用いる係止穴を有する。また当該雌スナップＳ１の上側スナップ構成部材Ｓ１０の上面側には雄スナップＳ２との係合に用いる係合穴部を有する。また下面側の係止穴の周囲には複数の回転止め用突起を有する。上側スナップ構成部材Ｓ１０の上面側が雌スナップＳ１のデザインを施す意匠面となる。
【００５５】
雌スナップＳ１の下側スナップ構成部材Ｓ１１は、略皿状の基板部Ｓ１１１と、その中央から上方へ加締め用突起Ｓ１１０を立設した構成である。加締め用突起Ｓ１１０及びその近傍、基板部Ｓ１１１の中央裏面を含む位置を、本実施例における加締部とする。また、前記基板部Ｓ１１１の上面における当該加締め用突起Ｓ１１０を中心とする円周ライン上に複数の回転止め用突起を設けている。
【００５６】
雌スナップＳ１の上側スナップ構成部材Ｓ１０と下側スナップ構成部材Ｓ１１は、最終的には上側スナップ構成部材Ｓ１０の係止穴内に、生地Ｃを貫通した下側スナップ構成部材Ｓ１１の加締め用突起Ｓ１１０が入り込み、その先端部が変形されることで、一体となるものである。
【００５７】
以上の構成に示す本実施例に係る携帯型スナップ取付具Ｐの操作手順及び動作について、以下に説明する。先ず、雌スナップＳ１を生地Ｃに取着する手順について説明する。
【００５８】
雌スナップＳ１の上側スナップ構成部材Ｓ１０は、その上部に突出した箇所がないことから、第一保持部４の中央穴４２０へ取付ける際には、直接取付を行わず、上記補助部材６を介在させて取付ける。補助部材６は、円板形状の基板６０の上面に上面側突出部６１を備え、下面には下面側突出部６２を備えている。下面側突出部６２は雄スナップの係合突起と略同様の形状としている。
【００５９】
前記補助部材６の下面側突出部と雌スナップＳ１の上側スナップ構成部材Ｓ１０の中央係止穴とを係止することで当該上側スナップ構成部材Ｓ１０と補助部材６とを一体とする。
次に、補助部材６の上面側突出部６１を第一保持部４の中央穴４２０に嵌入する。これによって第一保持部に間接的に雌スナップＳ１の上側スナップ構成部材Ｓ１０が保持されることとなる。
【００６０】
また、雌スナップＳ１の下側スナップ構成部材Ｓ１１を受駒体５０の台座５２上に載置する。
当該台座５２における凹部５１によって雌スナップＳ１の下側スナップ構成部材Ｓ１１は位置決めされる（図６参照。）。
【００６１】
尚、図７に示すように、より小型サイズとなる下側スナップ構成部材Ｓ１１ａを同一の受駒体５０で保持可能とするために、前記台座５２における凹部５１内に着脱自在となるアダプタ５４を用いることができる。
本実施例において用いるアダプタ５４は、前記凹部５１の輪郭に合わせた外形と、より小さいサイズの下側スナップ構成部材Ｓ１１ａを保持するための切欠部５４ａを備えた金属製の円板状部材である。
【００６２】
雌スナップＳ１における上側スナップ構成部材Ｓ１０と下側スナップ構成部材Ｓ１１との間にシートを介在させ、回転操作部３の操作杆を右回りに回転させる（図８参照。）。これによって把持枠部１に対して軸部２が下降し、併せて第一保持部及び雌スナップＳ１の上側スナップ構成部材Ｓ１０が下降する。
【００６３】
平ワッシャ４０は軸部２とともに回動するが、指示部材４１はガイド部１００によって上下に沿って移動する構成であるため、軸部２の回転の影響を受けず、軸部２とともに下降する。
【００６４】
下スナップ構成部材Ｓ１１の加締め用突起Ｓ１１０は、加締め操作によって変形する。
本実施例に係る携帯型スナップ取付具Ｐの回転操作部の操作によって、極めてゆっくり、且つ連続的に押圧して前記加締め用突起Ｓ１１０の変形を行うため、加締め用突起Ｓ１１０が押圧方向と反対方向へ復元されず、安定した加締めを実現する（図９参照。）。
また、弾性部材４２は、加締め時に変形することで、スナップボタンの雌雄の相違やスナップボタンのサイズの相違等によって生じる移動量の相違を吸収する。
【００６５】
尚、弾性部材４２と指示部材４１における当接板部４１１との摩擦力が当該弾性部材４２と軸部２との摩擦力よりも大きく設定することができる。また、弾性部材４２と指示部材４１における当接板部４１１との摩擦力が当該弾性部材４２と軸部２との摩擦力よりも小さく設定することもできる。
【００６６】
指示部材４１における当接板部４１１と弾性部材４２との摩擦力が、当該弾性部材４２と軸部２との摩擦力よりも大きく設定してある場合には、弾性部材４２と軸部２との当接状態が保持されながら、軸部２の下降に伴って、当該弾性部材４２は軸部２と回転することなく、指示部材４１の当接板部４１１とともに下降する。この際には、指示部材４１は弾性部材４２の回転止めとして作用し、弾性部材４２によって保持される上側スナップ構成部材Ｓ１０が回転することに伴う、生地Ｃ側の皺の発生を防止する。そして、指示部材４１の指示部４１０が締め込み位置を示す「ＭＡＸ」の表示位置となるまで回転操作部の締め込みによって軸部２を締め込むことで、雌スナップＳ１を生地Ｃに対して加締めることができる。
【００６７】
また、指示部材４１における当接板部４１１と弾性部材４２との摩擦力が、当該弾性部材４２と軸部２との摩擦力よりも小さく設定してある場合には、弾性部材４２と軸部２との当接状態が保持されながら、軸部２の下降に伴って、当該弾性部材４２が軸部２とともに回転する。そして、生地Ｃに対して雌スナップＳ１を加締めるより前に、弾性部材４２による雌スナップＳ１への押圧及び雌スナップＳ１と生地Ｃとの摩擦抵抗によって、弾性部材４２の回動が抑制され、生地Ｃ側の皺の発生を防止する。この段階において、上記した場合と同様に、指示部材４１の指示部が締め込み位置を示す「ＭＡＸ」の表示位置となるまで回転操作部３の締め込みによって軸部２を締め込むことで、雌スナップＳ１を生地Ｃに対して加締めることができる。
【００６８】
雌スナップＳ１を生地Ｃに対して加締めた後に、回転操作部３を逆回転（左回転）させることで、第一保持部を上昇させる。当該操作によって、生地Ｃ及び該生地Ｃに取付けたスナップボタンを当該携帯型スナップ取付具Ｐから取り外すことができる。
この際に、補助部材６は弾性部材４２側に残存するものであってもよいし、雌スナップＳ１側に残存するものであってもよい。雌スナップＳ１側に残存する場合には、その後に当該雌スナップＳ１から取り外すことができる。
【００６９】
次に、本実施例に係る携帯型スナップ取付具Ｐに使用する雄スナップＳ２について説明する。尚、雄スナップＳ２の取付については、主として図１０を参照し、携帯型スナップ取付具Ｐ、及び前記雌スナップＳ１に関する携帯型スナップ取付具Ｐの操作説明と略共通するものは、該当する図面に準じるものとして省略する。
前記雄スナップＳ２は、上側スナップ構成部材Ｓ２０及び下側スナップ構成部材Ｓ２１からなる。
【００７０】
雄スナップＳ２の上側スナップ構成部材Ｓ２０は、その中央に下側スナップ構成部材Ｓ２１との係止に用いる係止穴を有する。また当該雄スナップＳ２の上側スナップ構成部材Ｓ２０の上面側には雌スナップＳ１との係合に用いる係合突起部Ｓ２０１を有する。また下面側の係止穴の周囲に複数の回転止め用突起を有する。上側スナップ構成部材Ｓ２０の上面側が雄スナップＳ２のデザインを施す意匠面となる。
【００７１】
雄スナップＳ２の下側スナップ構成部材Ｓ２１は、略皿状の基板部Ｓ２１１と、その中央から上方へ加締め用突起Ｓ２１０を立設した構成である。また、前記基板部Ｓ２１１の上面における当該加締め用突起Ｓ２１０を中心とする円周ライン上に複数の回転止め用突起を設けている。尚、本実施例においては、当該下側スナップ構成部材Ｓ２１は、雌スナップＳ１、雄スナップＳ２とも共通部品としている。
【００７２】
雄スナップＳ２の上側スナップ構成部材Ｓ２０と下側スナップ構成部材Ｓ２１は、前記雌スナップＳ１の上側スナップ構成部材Ｓ１０及び下側スナップ構成部材Ｓ１１と同様に、最終的には上側スナップ構成部材Ｓ２０の係止穴内に、生地Ｃを貫通した下側スナップ構成部材Ｓ２１の加締め用突起Ｓ２１０が入り込み、その先端部が変形されることで、一体となるものである。
【００７３】
雄スナップＳ２の上側スナップ構成部材Ｓ２０の上部に形成した係合突起部Ｓ２０１を、直接第一保持部４の中央穴４２０へ嵌入して取付ける。また、雄スナップＳ２の下側スナップ構成部材Ｓ２１を受駒体５０の台座５２上に載置する。当該台座５２における凹部５１によって雄スナップＳ２の下側スナップ構成部材Ｓ２１は位置決めされる（図１０参照。）。
【００７４】
雄スナップＳ２における上側スナップ構成部材Ｓ２０と下側スナップ構成部材Ｓ２１との間にシートを介在させ、回転操作部３の操作杆を右回りに回転させる。これによって把持枠部１に対して軸部２が下降し、併せて第一保持部及び雄スナップＳ２の上側スナップ構成部材Ｓ２０が下降する。
【００７５】
雄スナップＳ２の加締め時においても、同様に下スナップ構成部材Ｓ２１の加締め用突起Ｓ２１０は、加締め操作によって変形する。回転操作部の操作によって、極めてゆっくり、且つ連続的に押圧して前記加締め用突起Ｓ２１０の変形を行うため、加締め用突起Ｓ２１０が押圧方向と反対方向へ復元されず、安定した加締めを実現する。
また、同様に、弾性部材４２は、加締め時に変形することで、スナップボタンの雌雄の相違やスナップボタンのサイズの相違等によって生じる第一保持部４の移動量の相違を吸収する。
【００７６】
雄スナップＳ２の取付においても、平ワッシャ４０は軸部２とともに回動するが、指示部材４１はガイド部１００によって上下に沿って移動する構成であるため、軸部２の回転の影響を受けず、軸部２とともに降下する。
また、弾性部材４２と指示部材４１における当接板部４１１との摩擦力が当該弾性部材４２と軸部２との摩擦力よりも大きく設定することができる。また、弾性部材４２と指示部材４１における当接板部４１１との摩擦力が当該弾性部材４２と軸部２との摩擦力よりも小さく設定することもできる。
【００７７】
また雄スナップＳ２の取付においても、指示部材４１における当接板部４１１と弾性部材４２との摩擦力が、当該弾性部材４２と軸部２との摩擦力よりも大きく設定してある場合には、弾性部材４２と軸部２との当接状態が保持されながら、軸部２の下降に伴って、当該弾性部材４２は軸部２と回転することなく、指示部材４１の当接板部４１１とともに下降する。この際には、指示部材４１は弾性部材４２の回転止めとして作用し、弾性部材４２によって保持される上側スナップ構成部材Ｓ２１が回転することに伴う、生地Ｃ側の皺の発生を防止する。そして、指示部材４１の指示部４１０が締め込み位置を示す「ＭＡＸ」の表示位置となるまで回転操作部３の締め込みによって軸部２を締め込むことで、雄スナップＳ２を生地Ｃに対して加締めることができる。
【００７８】
また、本実施例に係る樹脂製スナップ用の携帯型スナップ取付具Ｐは、当該樹脂製スナップ（雌スナップＳ１又は雄スナップＳ２）が取付不良状態で生地Ｃに取着された場合や正常な樹脂製スナップが既に取付けされている状態において、これを取り外す機能を備える。
【００７９】
上記したように、携帯型スナップ取付具Ｐは、軸部２の下端に第一保持部４、即ち、平ワッシャ４０、指示部材４１及び第一保持部となる弾性部材４２を備えている（例えば図１（ａ）参照。）。前記弾性部材４２の有する弾性により軸部２を僅かに押圧した状態で、当該軸部２を保持した構成となっている。このため、通常の保持状態では弾性部材４２は軸部２に対して固定されているが、指等で着脱させることが可能である。そして弾性部材４２を軸部２から取外すことによって、支持部材４１及び平ワッシャ４０は当該軸部２に対して着脱可能となる。
【００８０】
また、本実施例においては、握持片部４１２の一方若しくは双方を相互に離間するように引張し、当該対向する握持片部４１２、４１２間の間隙を拡げることによって、前記指示部材４１をガイド部１００から外すことができる。指示部材４１をガイド部１００へ取付ける際も同様に、握持片部４１２の一方若しくは双方を相互に離間するように引張し、当該対向する握持片部４１２、４１２間の間隙を拡げることによって行うことができる。
【００８１】
また図１（ｂ）に示すように、当該軸部２はその頭部２０から下方へ連続する雄螺子部２２と、該雄螺子部２２の下方に連続して当該雄螺子部２２よりも小径となる柱状部２３とを備えている。当該柱状部２３は、本発明の実施例における押圧部として機能する。
軸部２における柱状部２３の幅寸法ｗは、生地Ｃに取付られている樹脂製スナップの平面視中央部に表れる加締部に当接可能な幅寸法としている。
即ち、樹脂製スナップの中央部を軸部２（本実施例ではその柱状部２３）によって押圧破壊する際に、当該軸部が樹脂製スナップの周縁部等に干渉して中央部に当接できない状態となることを防止し、当該加締部の破壊を可能とする構成である。
【００８２】
図１（ａ）に示した前記弾性部材４２、指示部材４１及び平ワッシャ４０（即ち、押圧部４全体）を軸部２及び主枠１０から取り外すことで、図１２に示すように、柱状部２３を含む軸部２の先端側を露呈した状態とすることができる。
この状態において、生地Ｃに取付けられている樹脂製スナップの取外し操作が可能となる。
【００８３】
樹脂製スナップの取り外し操作は、先ず、第二保持部５に受駒体５０等を載置しない状態で、図１３に示すように、当該第二保持部５に当該樹脂製スナップ（生地Ｃを含む）を載置する。
本実施例の雌スナップＳ１を対象とする場合について説明する。
先ず、生地Ｃ等に取付けられた雌スナップＳ１を、変形された加締め用突起Ｓ１１０（即ち、加締部）が、上方に表れるように第二保持部５上に配置する。尚、加締め用突起Ｓ１１０の加締め前の形状としては、例えば図５に示す形状等とすることができる。
【００８４】
図１４〜図１５に示すように、回転操作部３の操作杆３０を右回転させることにより軸部２を下降させる。
軸部２の柱状部２３が、当該生地Ｃに取付けられた樹脂製スナップの周縁部に干渉することなく前記樹脂製スナップの加締部を上方から押圧する。操作杆３０をゆっくりと右回りに回転させ、更に当該軸部２を降下させることによって、樹脂製スナップの加締部を貫通破壊しつつ、下方へ押し出す。
【００８５】
下側スナップ構成部材Ｓ１１における加締め用突起Ｓ１１０が上側スナップ構成部材Ｓ１０に加締め固定されている。加締め用突起Ｓ１１０が係止している上側スナップ構成部材Ｓ１０の貫通穴を変形若しくは破壊させながら、当該加締め用突起Ｓ１１０を軸部２で下方へ押圧する。
【００８６】
軸部２の柱状部２３の降下によって、更に上側スナップ構成部材Ｓ１０の貫通穴に当該柱状部２３が嵌入される（図１６参照。）。破壊状態の一例としては、例えば、加締め用突起Ｓ１１０の下端が基板部Ｓ１１１の底面側を貫くように破壊される。
この際に、位置決め穴１１３は、柱状部２３の逃し穴として機能する。
以上の破壊操作によって上側スナップ構成部材Ｓ１０と下側スナップ構成部材Ｓ１１は、分離される。
また、破壊によって形成される破片Ｓ３は、上側スナップ構成部材Ｓ１０又は下側スナップ構成部材Ｓ１１と一体として残る場合もあるし、図１７に示すように、前記上側スナップ構成部材Ｓ１０又は下側スナップ構成部材Ｓ１１から分離する場合もある。破片Ｓ３が分離した場合には、当該破片Ｓ３は、位置決め穴１１３内に残留することもある。
【００８７】
樹脂製スナップが貫通破壊される際に、破壊音が生ずるため、使用者は間接的に当該樹脂製スナップが破壊され、上側スナップ構成部材Ｓ１０と下側スナップ構成部材Ｓ１１が分離されたことを認識できる。
【００８８】
軸部２の柱状部２３の降下によって当該樹脂製スナップの加締部が破壊された後、前記柱状部２３が樹脂製スナップを貫通した状態となる（図１６参照。）。
この状態で、操作杆３０を逆回転（左回転）させ、軸部２を上方へ移動させる（図１７参照。）。
軸部２を更に上方へ移動させることで、軸保持部１１０に当接し、軸部２のみが上昇することで、上側スナップ構成部材Ｓ１０は自動的に落下する。尚、この自動的な落下を行うことに限らず、可能であれば指で軸部２から上側スナップ構成部材Ｓ１０を取り外すこともできる。
【００８９】
また、以上は雌スナップＳ１を対象として示したが、同様の手順によって、雄スナップＳ２についても行うことができる。雄スナップＳ１を対象とする場合には、図示を省略するが、加締め時において変形された加締め用突起Ｓ２１０（即ち加締部）が上方に表れるように第二保持部５上に配置する。そして、上記雌スナップＳ１と同様の操作によって、上側スナップ構成部材Ｓ２０を下側スナップ構成部材Ｓ２１から分離し、取り外すことができる。尚、加締め用突起Ｓ２１０の加締め前の形状としては、例えば図１０に示す。
【００９０】
尚、本実施例では軸部２の先端に押圧部として柱状部２３を形成したものとしているが、本発明において軸部２の先端に必ずしも柱状部２３を形成する必要はなく、樹脂製スナップの中心位置にある加締部を破壊できる手段として機能し、且つ、第一保持部が着脱可能であればよい趣旨である。
【００９１】
また、雌スナップＳ１、雄スナップＳ２のいずれの取り外しについても、その形状等から可能であれば、上下を反転して、セットすることもできる。この場合には、雌スナップＳ１の下側スナップ構成部材Ｓ１１や雄スナップＳ２の下側スナップ構成部材Ｓ２１を軸部２の柱状部２３によって貫通破壊することもできる。
【００９２】
また、本発明は上記実施例に限定されるものではなく、公知技術又はこれを応用した種々の構成により発明の構成の一部を代替したものや、追加したものも含む。
例えば、加締め時の生地Ｃ側の皺の発生を防止若しくは抑制するための手段は、特に限定するものではない。
【００９３】
一の変形例として、例えば、軸部２の柱状部に雄螺子を形成しておき、上記実施例と同一形状の弾性部材４２内の上部下面に当接する別の平ワッシャを二重に配置し（上側から順に第二平ワッシャ、第三平ワッシャとする。ここで第三平ワッシャは弾性部材４２と非接触とする。）、第三平ワッシャの下方において前記柱状部の雄螺子に少なくとも一つのナットを螺合した構成等のように、指示部材４１の当接板部４１１と弾性部材４２が軸部２の影響を受けず、軸部２と弾性部材４２を非接触とし、当該軸部２を指示部材４１に対して回動可能とし且つ離脱不能とすること等によって実現することもできる。
【００９４】
また本実施例では、把持枠部１は主枠１０と保持枠１１によって概ねコの字に形成した構成としているが、本発明は当該実施例に開示した形状に限定されるものではない。把持枠部１の主枠１０と保持枠１１は明瞭に区別される必要はなく、主枠１０に相当する機能を有する部分及び保持枠１１に相当する機能を有する部分があれば足りる。
【００９５】
また、本実施例に係る把持枠部１は、図１１に示すように、例えば、小型の万力（クランプ）を構成する枠体を追加工することによって構成することができる。本実施例に用いた小型の万力は、市販の小型の万力であって、その枠体は、上側保持枠１１ａに雌螺子部１１１を有する軸保持部１１０を備える。一方で、下側保持部１１ｂの保持基部１１２には位置決め穴１１３を有しない。枠体の外形は、強度の保持を確保した種々の形状を有する。このため、一定の精度が要求される追加工は必ずしも容易ではない。本実施例においては、位置決め穴１１３を形成する追加工として、上側保持枠１１ａの上方から、前記軸保持部１１０の内径より小さい外径のドリル刃Ｄ１をドリルチャックＤに保持された状態で当該軸保持部１１０へ挿通して（挿通方向を矢印Ｔで示す。）、下側保持枠１１ｂの保持基部１１２の上面から下方へ、位置決め穴１１３を穿設する。これによって本実施例に係る携帯型スナップ取付具Ｐを製造する際に、例えば上記小型の万力を構成する枠体を利用して、より安価で且つ容易に位置決め穴１１３を有する枠体を構成できる。
【００９６】
尚、本発明に係る把持枠部１は、上記実施例に開示される構成に限定されるものではなく、把持枠部１に形成される位置決め穴１１３は、当該把持枠部１の下方側から穿設し、下側保持枠１１ｂを貫通する構成（例えば、図１９参照。）とすることもできる。当該構成のように、位置決め穴１１３を貫通穴とした場合には、当該位置決め穴１１３の形成時に発生する切削屑を簡単に除去することができる。また、樹脂製スナップを取り外す際において破片等が生じた場合には、これを簡単に除去することができる。
また、位置決め穴１１３は、例えば、上記実施例及び図１等に示すように、下側保持枠１１ｂを貫通しないものとすることもできる。
【００９７】
また本実施例では指示部材４１の指示部４１０には指示ラインＬ５を備えたものとしているが、本発明は指示部における指示手段として当該指示ラインＬ５に限定されるものではなく、例えば指示ラインＬ５に代えて切欠部や溝の形成等、他の指示手段を用いることもできる。
【００９８】
また本実施例においては、樹脂製スナップを取り外す際において、弾性部材４２、指示部材４１及び平ワッシャ４０（即ち、押圧部４全体）を軸部２及び主枠１０から取り外す構成としているが、本発明は、これに限るものではなく、例えば、図１８に示すように、本発明は、弾性部材４２のみを軸部２の柱状部２３から取り外した構造とすることもできる。
【００９９】
また本実施例では第二保持部５を保持基部１１２として、受駒体５０を介して下側スナップ構成部材を保持する構成としたが、本発明は当該構成に限定されるものではない。例えば、保持基部１１２の形状を受駒体５０に相当する形状として形成し、受駒体５０を不要とすることもできる。また、本実施例においては、保持基部１１２に位置決め穴１１３を形成したことによって、種々の下側スナップ構成部材の形状に対応した受駒体５０に変更することができる点で利点を有する。本発明の第二保持部５は、受駒体５０を含むものとすることができる。
【０１００】
また本発明は上記実施例に開示した形状のスナップ構成部材に限定されるものではなく、種々のスナップ構成部材を適用することができる。これに伴って、第一保持部４及び第二保持部、及び必要に応じて間接的に用いることができる補助部材、アダプタ等の各形状は、前記スナップ構成部材の形状に対応した形状とすることができる。
【０１０１】
また上記実施例では、握持片部４１２の一方若しくは双方を相互に離間するように引張し、当該対向する握持片部４１２、４１２間の間隙を拡げることによって、主枠１０に対する指示部材４１の着脱を行っているが、本発明はこれに限定されるものではなく、種々の設計変更が可能である。例えば、握持片部４１２以外の着脱可能な種々の構成を採用することができる。また、例えば、通常のガイド部１００の通常の使用範囲外の位置に当該ガイド部１００の幅狭部を形成して当該箇所から握持片部４１２を着脱させる構成等、ガイド部１００側に着脱可能とする構成を設けることもできる。
【符号の説明】
【０１０２】
Ｃ        生地
Ｄ        ドリルチャック
Ｄ１      ドリル刃
Ｌ１      ライン
Ｌ２      ライン
Ｌ３      ライン
Ｌ４      ライン
Ｌ５      指示ライン
Ｐ        携帯型スナップ取付具
Ｓ１      雌スナップ
Ｓ１０    スナップ構成部材（上側スナップ構成部材）
Ｓ１１    スナップ構成部材（下側スナップ構成部材）
Ｓ１１ａ  スナップ構成部材（下側スナップ構成部材：小型サイズ）
Ｓ１１０  加締め用突起
Ｓ１１１  基板部
Ｓ２      雄スナップ
Ｓ２０    スナップ構成部材（上側スナップ構成部材）
Ｓ２０１  係合突起部
Ｓ２１    スナップ構成部材（下側スナップ構成部材）
Ｓ２１０  加締め用突起
Ｓ２１１  基板部
Ｓ３      破片
Ｔ        矢印（ドリル挿入方向）
Ｔ１      文字
Ｔ２      文字
Ｔ３      文字
１        把持枠部
１０      主枠
１００    ガイド部
１１      保持枠
１１ａ    上側保持枠
１１ｂ    下側保持枠
１１０    軸保持部
１１１    雌螺子部
１１２    保持基部
１１３    位置決め穴
２        軸部
２０      頭部
２１      貫通穴
２２      雄螺子部
２３      柱状部
３        回転操作部
３０      操作杆
３１      第一グリップ
３２      第二グリップ
４        第一保持部
４０      平ワッシャ
４１      指示部材
４１０    指示部
４１１    当接板部
４２      弾性部材
４２０    中央穴
４２０ａ  上部
４２０ｂ  下部
５        第二保持部
５０      受駒体
５１      凹部
５２      台座
５３      脚部
５４      アダプタ
５４ａ    切欠部
６        補助部材
６０      基板
６１      上面側突出部
６２      下面側突出部
【図１】
2016165437.tif 000003
【図２】
2016165437.tif 000004
【図３】
2016165437.tif 000005
【図４】
2016165437.tif 000006
【図５】
2016165437.tif 000007
【図６】
2016165437.tif 000008
【図７】
2016165437.tif 000009
【図８】
2016165437.tif 000010
【図９】
2016165437.tif 000011
【図１０】
2016165437.tif 000012
【図１１】
2016165437.tif 000013
【図１２】
2016165437.tif 000014
【図１３】
2016165437.tif 000015
【図１４】
2016165437.tif 000016
【図１５】
2016165437.tif 000017
【図１６】
2016165437.tif 000018
【図１７】
2016165437.tif 000019
【図１８】
2016165437.tif 000020
【図１９】
2016165437.tif 000021